(57)【要約】【課題】受信したファクシミリの画データに係る画像形成後の用紙を優先的に得ることができ、また、コピー機能等により排出された用紙と、その中途でファクシミリ機能により排出された用紙とを容易に区別して得ることが可能な画像形成装置を提供することにある。【解決手段】コピー機能またはプリンタ機能による用紙への画像形成中にファクシミリの画データの受信があった場合に、前記コピー機能またはプリンタ機能による画像形成を中断する手段と、中断後に前記画データを用紙へ画像形成する手段と、中断前に画像形成された用紙と中断後に画像形成された用紙とを分類して排出する手段とを備える。【選択図】　　　　図１
2004040415.tif 000002
【特許請求の範囲】
【請求項１】
コピー機能またはプリンタ機能による用紙への画像形成中にファクシミリの画データの受信があった場合に、前記コピー機能またはプリンタ機能による画像形成を中断する手段と、中断後に前記画データを用紙へ画像形成する手段と、中断前に画像形成された用紙と中断後に画像形成された用紙とを分類して排出する手段とを備えることを特徴とする画像形成装置。
【請求項２】
前記画データの画像形成が終了した場合に、前記コピー機能またはプリンタ機能による画像形成を再開する手段と、再開後に画像形成された用紙と前記中断後に画像形成された用紙とを分類して排出する手段とを備えることを特徴とする請求項１に記載の画像形成装置。
【請求項３】
前記分類して排出する手段は、前記中断前に画像形成された用紙と中断後に画像形成された用紙とをずらして排出、異なるトレイへ排出、または向きを変えて排出させるよう構成してあることを特徴とする請求項１に記載の画像形成装置。
【請求項４】
前記分類して排出する手段は、前記再開後に画像形成された用紙と中断後に画像形成された用紙とをずらして排出、異なるトレイへ排出、または向きを変えて排出させるよう構成してあることを特徴とする請求項２に記載の画像形成装置。
【発明の詳細な説明】
【０００１】
【発明の属する技術分野】
本発明は、コピー機能または／及びプリンタ機能とファクシミリ機能との複合機能を有する画像形成装置に関する。
【０００２】
【従来の技術】
コピー機能、プリンタ機能、及びファクシミリ機能を併せ持つ画像形成装置においては、複数の画像形成指示があった場合、そのジョブをメモリに記憶しておき、１つのジョブが終了した後に、次のジョブを開始する。例えば、コピー機能による画像形成中に、ファクシミリの受信があった場合、受信した画データをメモリに記憶しておき、コピー機能による画像形成が終了した後に、メモリに記憶した画データを読み出して、ファクシミリ機能による画像形成を行う。
【０００３】
【発明が解決しようとする課題】
しかしながら、コピーまたはプリントのジョブが多数蓄積されている状況で、ファクシミリの受信があった場合、画データの画像形成は後回しになって大幅に遅れることになる。特に、ファクシミリで送信されてくる情報は緊急性が高いものが多いことから極力優先して画像形成したいという要請があった。
【０００４】
本発明は斯かる事情に鑑みてなされたものであり、その目的とするところはコピー機能等による用紙への画像形成中にファクシミリの画データの受信があった場合に、コピー機能等による画像形成を中断し、ファクシミリ画データの用紙への画像形成を行い、かつこれらを分類して排出することにより、受信したファクシミリの画データに係る画像形成後の用紙を優先的に得ることができ、また、コピー機能等により排出された用紙と、その中途でファクシミリ機能により排出された用紙とを容易に区別して得ることが可能な画像形成装置を提供することにある。
【０００５】
【課題を解決するための手段】
第１発明に係る画像形成装置は、コピー機能またはプリンタ機能による用紙への画像形成中にファクシミリの画データの受信があった場合に、前記コピー機能またはプリンタ機能による画像形成を中断する手段と、中断後に前記画データを用紙へ画像形成する手段と、中断前に画像形成された用紙と中断後に画像形成された用紙とを分類して排出する手段とを備えることを特徴とする。
【０００６】
第２発明に係る画像形成装置は、第１発明において、前記画データの画像形成が終了した場合に、前記コピー機能またはプリンタ機能による画像形成を再開する手段と、再開後に画像形成された用紙と前記中断後に画像形成された用紙とを分類して排出する手段とを備えることを特徴とする。
【０００７】
第３発明に係る画像形成装置は、第１発明において、前記分類して排出する手段は、前記中断前に画像形成された用紙と中断後に画像形成された用紙とをずらして排出、異なるトレイへ排出、または向きを変えて排出させるよう構成してあることを特徴とする。
【０００８】
第４発明に係る画像形成装置は、第２発明において、前記分類して排出する手段は、前記再開後に画像形成された用紙と中断後に画像形成された用紙とをずらして排出、異なるトレイへ排出、または向きを変えて排出させるよう構成してあることを特徴とする。
【０００９】
本発明にあっては、コピー機能またはプリンタ機能による用紙への画像形成中にファクシミリの画データの受信があった場合に、コピー機能またはプリンタ機能による画像形成を一時的に中断する。そして、コピー機能またはプリンタ機能による画像形成の中断後に、受信した画データの用紙への画像形成を割り込ませて実行する。そして、中断前、すなわちコピー機能またはプリンタ機能により画像形成された用紙と、中断後、すなわちファクシミリ機能により画像形成された用紙とを分類して排出する。分類した排出方法としては例えば、中断前に画像形成された用紙と中断後に画像形成された用紙とをずらして排出、異なるトレイへ排出、または向きを変えて排出させる。
【００１０】
さらにファクシミリ機能による画データの画像形成が終了した場合、コピー機能またはプリンタ機能による画像形成を再開する。そしてこの場合も、再開後にコピー機能またはプリンタ機能により画像形成された用紙と中断後にファクシミリ機能により画像形成された用紙とを分類して排出する。以上のように構成したので、コピー機能またはプリンタ機能によるジョブが蓄積されている状況で、ファクシミリによる画データを受信した場合でも、早期に画像形成されたファクシミリに係る用紙を入手することが可能となる。しかも、コピー機能等により排出された用紙と、中断してファクシミリ機能により排出した用紙とが分類して排出されるので、ユーザは混乱することなく、割り込ませた用紙を入手することが可能となる。
【００１１】
【発明の実施の形態】
以下本発明を実施の形態を示す図面に基づいて詳述する。
図１は、本発明の画像形成装置のハードウェア構成を示すブロック図である。なお、以下では画像形成装置をコピー機能、ファクシミリ機能、及びプリンタ機能を備える複合機であるものとして説明するが、これに限るものではなく、ファクシミリ機能にコピー機能のみが付加された複合機、またはファクシミリ機能にプリンタ機能のみが付加された複合機であっても良い。
【００１２】
画像形成装置１は、バス１７を介してＣＰＵ（Ｃｅｎｔｒａｌ　Ｐｒｏｃｅｓｓｉｎｇ　Ｕｎｉｔ）１１、読取部１９，記録部１１０，表示部１４，操作部１３，符号化・復号化部１８，ＲＯＭ（Ｒｅａｄ　Ｏｎｌｙ　Ｍｅｍｏｒｙ）１５，ＲＡＭ（Ｒａｎｄｏｍ　Ａｃｃｅｓｓ　Ｍｅｍｏｒｙ）１２，画像メモリ１５１，モデム１６２，ＮＣＵ（Ｎｅｔｗｏｒｋ　Ｃｏｎｔｒｏｌ　Ｕｎｉｔ）１６１，ＬＡＮインタフェース部１６３、その他シフトトレイユニット１１１、２ビントレイユニット１１２、及び給紙カセット１１３等が接続されている。
【００１３】
ＣＰＵ１１は、バス１７を介して画像形成装置１の上述したようなハードウェア各部と接続されていて、それらを制御すると共に、ＲＯＭ１５に格納された制御プログラム１５Ｐに従って、種々のソフトウェア的機能を実行する。読取部１９は、例えばＣＣＤ（Ｃｈａｒｇｅ　Ｃｏｕｐｌｅ　Ｄｅｖｉｃｅ）を利用したスキャナで原稿を読み取り、読み取った画データを出力する。記録部１１０は、電子写真方式のプリンタ装置であって、ファクシミリ通信により受信した画データ、読取部１９にて読み取った原稿の画データ、パーソナルコンピュータ（以下、ＰＣという）２を経由して図示しないプリンタから送られてきた画像情報などをプリントアウトする。
【００１４】
表示部１４は、液晶表示装置またはＣＲＴ（Ｃａｔｈｏｄｅ−ｒａｙ　Ｔｕｂｅ）ディスプレイ等の表示装置であり、本発明の画像形成装置１の動作状態を表示、送信のために読み取った原稿の画データ、他のファクシミリ装置から受信した画データ、ＰＣ２から送られてきた画像情報等の表示を行う。操作部１３は、本発明の画像形成装置１を操作するために必要な文字キー，テンキー，短縮ダイヤルキー，ワンタッチダイヤルキー，各種のファンクションキーなどを備えている。なお、表示部１４をタッチパネル方式とすることにより、操作部１３の各種キーの内の一部または全部を代用することも可能である。符号化・復号化部１８は、画信号を符号化圧縮すると共に、符号化圧縮されている画像データを元の画信号に復号化する。
【００１５】
ＲＯＭ１５は、本発明の画像形成装置１の動作に必要な制御プログラム１５Ｐを予め格納している。ＲＡＭ１２は、ＳＲＡＭ（Ｓｔａｔｉｃ　Ｒａｎｄｏｍ　Ａｃｃｅｓｓ　Ｍｅｍｏｒｙ）またはフラッシュメモリ等で構成され、ソフトウェアの実行時に発生する一時的なデータを記憶する。ＲＡＭ１２には、ＣＰＵ１１から指示されたジョブを管理するジョブ管理部１２１が設けられている。画像メモリ１５１は、ＤＲＡＭ（Ｄｙｎａｍｉｃ　Ｒａｎｄｏｍ　Ａｃｃｅｓｓ　Ｍｅｍｏｒｙ）等で構成され、送信のために読み取った画データ、他のファクシミリ装置から受信した画データ、ＰＣ２から送られてきた画像情報などを蓄積する。読取部１９から読み取った画データ、他のファクシミリ装置から受信した画データ、及びＰＣ２から送られてきた画像情報に対する印字処理命令がなされた場合、ジョブ管理部１２１に実行すべきジョブが蓄積され、該当ジョブが実行される場合、画像メモリ１５１に記憶した前記ジョブに係る画データが読み出されて、印字処理が実行される。
【００１６】
モデム１６２は、バス１７に接続されており、ファクシミリ通信が可能なファクシミリモデムから構成されている。また、モデム１６２は、同様にバス１７に接続されたＮＣＵ１６１と直接的に接続されている。ＮＣＵ１６１は、電話回線網との回線Ｌの閉結及び開放の動作を行うハードウェアであり、必要に応じてモデム１６２を電話回線網と接続する。
【００１７】
ＬＡＮインタフェース部１６３は、通信網Ｎを介してＰＣ２に接続されており、ＰＣ２との間でデータのやりとりを行う。シフトトレイユニット１１１は記録部１１０で印字された用紙を、設定された部数毎に左右に仕分けして排出する機能を有する。シフトトレイユニット１１１は排出口（図示せず）及びトレイ（図示せず）を備え、該トレイを用紙の排出方向と交差する方向または排出方向へ適宜移動させることにより、排出用紙を仕分けするよう構成されている。
【００１８】
２ビントレイユニット１１２は記録部１１０で印字された用紙を、異なる２つのトレイ（図示せず）へ仕分けして排出する機能を有する。２ビントレイユニット１１２は排出口（図示せず）及び上下方向に移動可能なトレイを備え、該トレイを用紙の排出時に適宜上下方向に移動させることにより、排出用紙をトレイの上部または下部にそれぞれ仕分けするよう構成されている。なお、本実施の形態においては２ビントレイユニット１１２を用いたが、３段以上の多段トレイユニットを用いても良いことは言うまでもない。給紙カセット１１３は異なるサイズ、または同サイズで印字の向きが異なる用紙（印字前）を、積層させて格納する容器である。なお、本実施の形態においてはＡ４サイズ「縦」及びＡ４サイズ「横」の２つの給紙カセットが用意されているものとして説明する。Ａ４サイズ「縦」の給紙カセット１１３は、用紙を長辺方向から排出する場合に使用される。一方、Ａ４サイズ「横」の給紙カセット１１３は、用紙を短辺方向から排出、すなわち用紙を９０度回転させた状態で排出させる場合に使用される。なお、以上説明したシフトトレイユニット１１１，２ビントレイユニット１１２及び給紙カセット１１３は画像形成装置１本体から着脱可能に装着することができる。
【００１９】
以上の構成において、本発明の画像形成装置１のソフトウェア処理を、フローチャートを用いて説明する。図２乃至図８は制御プログラム１５Ｐの処理手順を示すフローチャートである。ＣＰＵ１１はモデム１６２を介して画データの受信が開始、すなわちファクシミリによるジョブが開始されたか否かを判断する（ステップＳ２１）。画データの受信が開始されていない場合は（ステップＳ２１でＮＯ）、画データを受信するまで以上の処理を繰り返す。一方、画データを受信した場合（ステップＳ２１でＹＥＳ）、ＲＡＭ１２のジョブ管理部１２１を参照して、コピーのジョブ中であるか否かを判断する（ステップＳ２２）。コピーのジョブ中でない場合は（ステップＳ２２でＮＯ）、さらにジョブ管理部１２１を参照してプリンタのジョブ中であるか否かを判断する（ステップＳ２３）。
【００２０】
ステップＳ２２において、コピーのジョブ中である場合（ステップＳ２２でＹＥＳ）、ステップＳ３１へ移行してシフトトレイユニット１１１が装着されているか否かを判断する（ステップＳ３１）。ＣＰＵ１１はシフトトレイユニット１１１が装着されていると判断した場合は（ステップＳ３１でＹＥＳ）、ジョブ管理部１２１に対しジョブの中断を命じると共に、記録部１１０へコピーモードでの印字動作を中断する信号を出力する（ステップＳ３２）。そして、ジョブ管理部１２１に対し、ファクシミリ受信した画データに係る印字処理を、中断したジョブに代えて割り込ませる処理を行い、コピーモードからファクシミリモードに切り替える（ステップＳ３３）。
【００２１】
ＣＰＵ１１はファクシミリ受信した画データの受信が終了したか否かを判断する（ステップＳ３４）。終了していない場合は（ステップＳ３４でＮＯ）、終了するまで以上の処理を繰り返す。一方、終了した場合は（ステップＳ３４でＹＥＳ）、シフトトレイユニット１１１を駆動させトレイ位置をシフトさせる（ステップＳ３５）。その後、ファクシミリ受信した画データを印字する処理を行う（ステップＳ３６）。ＣＰＵ１１は全ての画データの印字が終了したか否かを判断する（ステップＳ３７）。終了していない場合は（ステップＳ３７でＮＯ）、全ての画データの印字が終了するまで以上の処理を繰り返す。全ての印字処理が終了した場合は（ステップＳ３７でＹＥＳ）、ジョブ管理部１２１のジョブ終了済みのジョブを削除して、次のジョブ、すなわち中断していたコピーモードによるジョブを読み出して、モードをコピーモードに切り替える（ステップＳ３８）。
【００２２】
そして、再度シフトトレイユニット１１１を駆動し、トレイ位置を元の位置に戻す（ステップＳ３９）。その後コピージョブを再開させ（ステップＳ３１０）、印字を再開する。ＣＰＵ１１はコピージョブが終了したか否かを判断し（ステップＳ３１１）、終了していない場合は（ステップＳ３１１でＮＯ）、ジョブが終了するまで処理を繰り返す。一方、コピージョブが終了した場合は（ステップＳ３１１でＹＥＳ）、処理を終了する。
【００２３】
ステップＳ３１において、シフトトレイユニットが装着されていないと判断した場合（ステップＳ３１でＮＯ）、２ビントレイユニット１１２が装着されているか否かを判断する（ステップＳ３１２）。ＣＰＵ１１は２ビントレイユニット１１２が装着されていると判断した場合は（ステップＳ３１２でＹＥＳ）、ジョブ管理部１２１に対しジョブの中断を命じる共に、記録部１１０へコピーモードでの印字動作を中断する信号を出力する（ステップＳ３１３）。そして、ジョブ管理部１２１に対し、ファクシミリ受信した画データに係る印字処理を、中断したジョブに代えて割り込ませる処理を行い、コピーモードからファクシミリモードに切り替える（ステップＳ３１４）。
【００２４】
ＣＰＵ１１はファクシミリ受信した画データの受信が終了したか否かを判断する（ステップＳ３１５）。終了していない場合は（ステップＳ３１５でＮＯ）、終了するまで以上の処理を繰り返す。一方、終了した場合は（ステップＳ３１５でＹＥＳ）、２ビントレイユニット１１１を駆動させ用紙の排紙位置を変更させる（ステップＳ３１６）。その後、ファクシミリ受信した画データを印字する処理を行う（ステップＳ３１７）。ＣＰＵ１１は全ての画データの印字が終了したか否かを判断する（ステップＳ３１８）。終了していない場合は（ステップＳ３１８でＮＯ）、全ての画データの印字が終了するまで以上の処理を繰り返す。全ての印字処理が終了した場合は（ステップＳ３１８でＹＥＳ）、ジョブ管理部１２１のジョブ終了済みのジョブを削除して、次のジョブ、すなわち中断していたコピーモードによるジョブを読み出して、モードをコピーモードに切り替える（ステップＳ３１９）。
【００２５】
そして、再度２ビントレイユニット１１１を駆動し、用紙の排紙位置を元に戻す（ステップＳ３２０）。その後、中断していたコピージョブを再開させ（ステップＳ３２１）、印字を再開する。ＣＰＵ１１はコピージョブが終了したか否かを判断し（ステップＳ３２２）、終了していない場合は（ステップＳ３２２でＮＯ）、ジョブが終了するまで処理を繰り返す。一方、コピージョブが終了した場合は（ステップＳ３２２でＹＥＳ）、処理を終了する。
【００２６】
ステップＳ３１２において、２ビントレイユニット１１２が装着されていないと判断された場合（ステップＳ３１２でＮＯ）、ＣＰＵ１１はジョブ管理部１２１に対しジョブの中断を命じると共に、記録部１１０へコピーモードでの印字動作を中断する信号を出力する（ステップＳ３２３）。そして、ジョブ管理部１２１に対し、ファクシミリ受信した画データに係る印字処理を、中断したジョブに代えて割り込ませる処理を行い、コピーモードからファクシミリモードに切り替える（ステップＳ３２４）。
【００２７】
ＣＰＵ１１はファクシミリ受信した画データの受信が終了したか否かを判断する（ステップＳ３２５）。終了していない場合は（ステップＳ３２５でＮＯ）、終了するまで以上の処理を繰り返す。一方、終了した場合は（ステップＳ３２５でＹＥＳ）、給紙カセット１１３をこれまで使用していたＡ４「縦」からＡ４「横」へ変更する（ステップＳ３２６）。その後、ファクシミリ受信した画データを印字する処理を行う（ステップＳ３２７）。ＣＰＵ１１は全ての画データの印字が終了したか否かを判断する（ステップＳ３２８）。終了していない場合は（ステップＳ３２８でＮＯ）、全ての画データの印字が終了するまで以上の処理を繰り返す。全ての印字処理が終了した場合は（ステップＳ３２８でＹＥＳ）、ジョブ管理部１２１のジョブ終了済みのジョブを削除して、次のジョブ、すなわち中断していたコピーモードによるジョブを読み出して、モードをコピーモードに切り替える（ステップＳ３２９）。
【００２８】
そして、給紙カセットをＡ４「横」からＡ４「縦」へ変更する（ステップＳ３３０）。その後、中断していたコピージョブを再開させ（ステップＳ３３１）、印字を再開する。ＣＰＵ１１はコピージョブが終了したか否かを判断し（ステップＳ３３２）、終了していない場合は（ステップＳ３３２でＮＯ）、ジョブが終了するまで処理を繰り返す。一方、コピージョブが終了した場合は（ステップＳ３３２でＹＥＳ）、処理を終了する。なお、本実施の形態においては、分類して排出する手段として、上述したオフセット排出、異なるトレイへの排出、及び用紙の印字方向の変更により実現するようにしたが、これらに限定されるものではなく、例えば着色紙を介在させる、または異なるサイズの用紙（例えば、Ａ３サイズ）に印字させる等により分類排出させるようにすればよい。
【００２９】
ステップＳ２３（図２）においてプリンタのジョブ中であると判断した場合（ステップＳ２３でＹＥＳ）、ステップＳ４１（図６）へ移行しシフトトレイユニット１１１が装着されているか否かを判断する（ステップＳ４１）。ＣＰＵ１１はシフトトレイユニット１１１が装着されていると判断した場合は（ステップＳ４１でＹＥＳ）、ジョブ管理部１２１に対しジョブの中断を命じる共に、記録部１１０へプリンタモードでの印字動作を中断する信号を出力する（ステップＳ４２）。そして、ジョブ管理部１２１に対し、ファクシミリ受信した画データに係る印字処理を、中断したジョブに代えて割り込ませる処理を行い、プリンタモードからファクシミリモードに切り替える（ステップＳ４３）。
【００３０】
ＣＰＵ１１はファクシミリ受信した画データの受信が終了したか否かを判断する（ステップＳ４４）。終了していない場合は（ステップＳ４４でＮＯ）、終了するまで以上の処理を繰り返す。一方、終了した場合は（ステップＳ４４でＹＥＳ）、シフトトレイユニット１１１を駆動させトレイ位置をシフトさせる（ステップＳ４５）。その後、ファクシミリ受信した画データを印字する処理を行う（ステップＳ４６）。ＣＰＵ１１は全ての画データの印字が終了したか否かを判断する（ステップＳ４７）。終了していない場合は（ステップＳ４７でＮＯ）、全ての画データの印字が終了するまで以上の処理を繰り返す。全ての印字処理が終了した場合は（ステップＳ４７でＹＥＳ）、ジョブ管理部１２１のジョブ終了済みのジョブを削除して、次のジョブ、すなわち中断していたプリンタモードによるジョブを読み出して、モードをプリンタモードに切り替える（ステップＳ４８）。
【００３１】
そして、再度シフトトレイユニット１１１を駆動し、トレイ位置を元の位置に戻す（ステップＳ４９）。その後プリンタジョブを再開させ（ステップＳ４１０）、印字を再開する。ＣＰＵ１１はプリンタジョブが終了したか否かを判断し（ステップＳ４１１）、終了していない場合は（ステップＳ４１１でＮＯ）、ジョブが終了するまで処理を繰り返す。一方、プリンタジョブが終了した場合は（ステップＳ４１１でＹＥＳ）、処理を終了する。
【００３２】
ステップＳ４１において、シフトトレイユニットが装着されていないと判断した場合（ステップＳ４１でＮＯ）、２ビントレイユニット１１２が装着されているか否かを判断する（ステップＳ４１２）。ＣＰＵ１１は２ビントレイユニット１１２が装着されていると判断した場合は（ステップＳ４１２でＹＥＳ）、ジョブ管理部１２１に対しジョブの中断を命じると共に、記録部１１０へプリンタモードでの印字動作を中断する信号を出力する（ステップＳ４１３）。そして、ジョブ管理部１２１に対し、ファクシミリ受信した画データに係る印字処理を、中断したジョブに代えて割り込ませる処理を行い、プリンタモードからファクシミリモードに切り替える（ステップＳ４１４）。
【００３３】
ＣＰＵ１１はファクシミリ受信した画データの受信が終了したか否かを判断する（ステップＳ４１５）。終了していない場合は（ステップＳ４１５でＮＯ）、終了するまで以上の処理を繰り返す。一方、終了した場合は（ステップＳ４１５でＹＥＳ）、２ビントレイユニット１１１を駆動させ用紙の排紙位置を変更させる（ステップＳ４１６）。その後、ファクシミリ受信した画データを印字する処理を行う（ステップＳ４１７）。ＣＰＵ１１は全ての画データの印字が終了したか否かを判断する（ステップＳ４１８）。終了していない場合は（ステップＳ４１８でＮＯ）、全ての画データの印字が終了するまで以上の処理を繰り返す。全ての印字処理が終了した場合は（ステップＳ４１８でＹＥＳ）、ジョブ管理部１２１のジョブ終了済みのジョブを削除して、次のジョブ、すなわち中断していたプリンタモードによるジョブを読み出して、モードをプリンタモードに切り替える（ステップＳ４１９）。
【００３４】
そして、再度２ビントレイユニット１１１を駆動し、用紙の排紙位置を元に戻す（ステップＳ４２０）。その後、中断していたプリンタジョブを再開させ（ステップＳ４２１）、印字を再開する。ＣＰＵ１１はプリンタジョブが終了したか否かを判断し（ステップＳ４２２）、終了していない場合は（ステップＳ４２２でＮＯ）、ジョブが終了するまで処理を繰り返す。一方、プリンタジョブが終了した場合は（ステップＳ４２２でＹＥＳ）、処理を終了する。
【００３５】
ステップＳ４１２において、２ビントレイユニット１１２が装着されていないと判断された場合（ステップＳ４１２でＮＯ）、ＣＰＵ１１はジョブ管理部１２１に対しジョブの中断を命じると共に、記録部１１０へプリンタモードでの印字動作を中断する信号を出力する（ステップＳ４２３）。そして、ジョブ管理部１２１に対し、ファクシミリ受信した画データに係る印字処理を、中断したジョブに代えて割り込ませる処理を行い、プリンタモードからファクシミリモードに切り替える（ステップＳ４２４）。
【００３６】
ＣＰＵ１１はファクシミリ受信した画データの受信が終了したか否かを判断する（ステップＳ４２５）。終了していない場合は（ステップＳ４２５でＮＯ）、終了するまで以上の処理を繰り返す。一方、終了した場合は（ステップＳ４２５でＹＥＳ）、給紙カセット１１３をこれまで使用していたＡ４「縦」からＡ４「横」へ変更する（ステップＳ４２６）。その後、ファクシミリ受信した画データを印字する処理を行う（ステップＳ４２７）。ＣＰＵ１１は全ての画データの印字が終了したか否かを判断する（ステップＳ４２８）。終了していない場合は（ステップＳ４２８でＮＯ）、全ての画データの印字が終了するまで以上の処理を繰り返す。全ての印字処理が終了した場合は（ステップＳ４２８でＹＥＳ）、ジョブ管理部１２１のジョブ終了済みのジョブを削除して、次のジョブ、すなわち中断していたプリンタモードによるジョブを読み出して、モードをプリンタモードに切り替える（ステップＳ４２９）。
【００３７】
そして、給紙カセットをＡ４「横」からＡ４「縦」へ変更する（ステップＳ４３０）。その後、中断していたプリンタジョブを再開させ（ステップＳ４３１）、印字を再開する。ＣＰＵ１１はプリンタジョブが終了したか否かを判断し（ステップＳ４３２）、終了していない場合は（ステップＳ４３２でＮＯ）、ジョブが終了するまで処理を繰り返す。一方、プリンタジョブが終了した場合は（ステップＳ４３２でＹＥＳ）、処理を終了する。
【００３８】
ステップＳ２３（図２）において、プリンタのジョブ中でもない場合は（ステップＳ２３でＮＯ）、ファクシミリ受信した画データの受信が完了したか否かを判断する（ステップＳ２４）。完了していない場合は（ステップＳ２４でＮＯ）、完了するまで以上の処理を繰り返す。一方、受信が完了した場合は（ステップＳ２４でＹＥＳ）、受信した画データの印字処理を記録部１０に対して指示する（ステップＳ２５）。全ての画データの印字が終了して、ファクシミリのジョブが終了したか否かを判断する（ステップＳ２６）。印字が終了していない場合、すなわちファクシミリのジョブが終了していない場合は（ステップＳ２６でＮＯ）、ステップＳ２５へ移行し以上の処理を繰り返す。一方、印字が終了してファクシミリのジョブが終了した場合（ステップＳ２６でＹＥＳ）、処理を終了する。なお、本実施形態では、コピージョブ及びプリントジョブで記録された用紙とファクシミリジョブで記録された用紙との分類を、シフトトレイを用いての分類排出と、次に２ビントレイを用いての分類排出と、用紙を異なる方向で収容した給紙カセットを用いての分類排出とのいずれの方法でも可能にしているが、いずれかの一方法のみで行うように予め設定しても良く、またユーザ設定によっていずれかの一方法を選択できるようにしても良い。
また、本実施形態のフローチャートでは、まずシフトトレイの装着の有無を確認し、次に２ビントレイの装着の有無を確認した後に、給紙カセットの選択を行うようにしているが、この判断ステップの順番は任意に変更可能である。
【００３９】
【発明の効果】
以上詳述した如く、本発明にあっては、コピー機能またはプリンタ機能による用紙への画像形成中にファクシミリの画データの受信があった場合に、コピー機能またはプリンタ機能による画像形成を一時的に中断し、受信した画データの用紙への画像形成を割り込ませて実行する。さらにコピー機能またはプリンタ機能により画像形成された用紙と、ファクシミリ機能により画像形成された用紙とを分類して排出するようにしたので、コピー機能またはプリンタ機能によるジョブが蓄積されている状況で、ファクシミリによる画データを受信した場合でも、早期に画像形成されたファクシミリに係る用紙を入手することが可能となる。しかも、コピー機能等により排出された用紙と、中断してファクシミリ機能により排出した用紙とが分類して排出されるので、ユーザは混乱することなく、割り込ませた用紙を入手することが可能となる等、本発明は優れた効果を奏し得る。
【図面の簡単な説明】
【図１】本発明の画像形成装置のハードウェア構成を示すブロック図である。
【図２】制御プログラムの処理手順を示すフローチャートである。
【図３】制御プログラムの処理手順を示すフローチャートである。
【図４】制御プログラムの処理手順を示すフローチャートである。
【図５】制御プログラムの処理手順を示すフローチャートである。
【図６】制御プログラムの処理手順を示すフローチャートである。
【図７】制御プログラムの処理手順を示すフローチャートである。
【図８】制御プログラムの処理手順を示すフローチャートである。
【符号の説明】
１　　　画像形成装置
２　　　ＰＣ
１１　　ＣＰＵ
１１１　シフトトレイユニット
１１２　２ビントレイユニット
１１３　給紙カセット
１９　　読取部
【図１】
2004040415.tif 000003
【図２】
2004040415.tif 000004
【図３】
2004040415.tif 000005
【図４】
2004040415.tif 000006
【図５】
2004040415.tif 000007
【図６】
2004040415.tif 000008
【図７】
2004040415.tif 000009
【図８】
2004040415.tif 000010